(57)【要約】【課題】操作性を保ちつつ、さらなる小型化を可能とする携帯型電子機器を提供する。【解決手段】略直方体に形成された筐体２の前面に表示部３を備える携帯型電子機器１に、筐体２の上側面，下側面，左側面，右側面に、それぞれ、上方向，下方向，左方向，右方向を指示する操作信号を入力するための上ボタン４，下ボタン５，左ボタン６，右ボタン７を備えた。【選択図】図２
2008198067.tif 000002
【特許請求の範囲】
【請求項１】
略直方体に形成された筐体の前面に表示部を備える携帯型電子機器において、
指が触れたことを検知する検知センサにより形成され、前記筐体の上側面，下側面，左側面，右側面における前記表示部側に、それぞれ、上方向，下方向，左方向，右方向を指示する操作信号を入力するための上ボタン，下ボタン，左ボタン，右ボタンを備え、
前記表示部は、前記筐体の前面の略全領域に備えられることを特徴とする携帯型電子機器。
【請求項２】
略直方体に形成された筐体の前面に表示部を備える携帯型電子機器において、
前記筐体の上側面に備えられ、上方向を指示する操作信号を入力するための上ボタンと、
前記筐体の下側面に備えられ、下方向を指示する操作信号を入力するための下ボタンと、
前記筐体の左側面に備えられ、左方向を指示する操作信号を入力するための左ボタンと、
前記筐体の右側面に備えられ、右方向を指示する操作信号を入力するための右ボタンと、
を備えることを特徴とする携帯型電子機器。
【請求項３】
前記上ボタン、前記下ボタン、前記左ボタン、及び、前記右ボタンは、指が触れたことを検知する検知センサにより形成されることを特徴とする請求項２に記載の携帯型電子機器。
【請求項４】
前記表示部は、前記筐体の前面の略全領域に備えられることを特徴とする請求項２又は３に記載の携帯型電子機器。
【請求項５】
前記上ボタン、前記下ボタン、前記左ボタン、及び、前記右ボタンは、前記筐体の側面における前記表示部側に備えられていることを特徴とする請求項２〜４の何れか一項に記載の携帯型電子機器。
【発明の詳細な説明】
【技術分野】
【０００１】
本発明は、携帯型電子機器に関する。
【背景技術】
【０００２】
近年、小型化、軽量化されたポータブルＡＶ機器が製造されている。そして、ポータブルＡＶ機器の小型化に伴い、操作ボタン等の配置位置の制約が大きくなるため、操作性が低下したり、デザイン性が低くなりがちである。そこで、操作スイッチを筐体の側面に配置することにより筐体の小型化及び筐体前面のデザイン性の向上を図ったものが知られている（例えば、特許文献１）。
また、据え置き型のＡＶ機器においても、筐体の側面に静電スイッチにより構成される操作ボタンを配置したものも知られている（例えば、特許文献２）。
また、移動可能に支持された据え置き型のＡＶ機器であって、当該ＡＶ機器の角度を傾けたり、当該ＡＶ機器に備えられた静電スイッチに触れることにより操作できるように構成したものも知られている（例えば、特許文献３）。
また、携帯電話機の側面にタッチセンサを備え、当該携帯電話機に対するユーザの接触を検出するものも知られている（例えば、特許文献４）。
【特許文献１】特開２００５−０９１５５２号公報
【特許文献２】特開２００３−０７６３５０号公報
【特許文献３】特開２００５−３０２１２６号公報
【特許文献４】特開２００６−０２５４０２号公報
【発明の開示】
【発明が解決しようとする課題】
【０００３】
しかしながら、操作ボタンのうち、上下左右を指示する上下左右ボタンは、他の操作ボタンに比べて広い配置場所を必要とするため、側面に備えることができず、通常、筐体の前面に配置されている。筐体の前面には、表示部も配置されることが多く、上下左右ボタンの分だけ表示部が小さくなってしまったり、筐体の小型化を図ることができないという問題があった。一方、上下左右ボタンを備えないこととすると操作性が著しく低下してしまう。特許文献１−３には上下左右ボタンについて記載がないため、本問題を解決することができない。また、特許文献４は操作ボタンの配置に関する発明ではないため、本問題を解決することができない。
【０００４】
本発明の課題は、操作性を保ちつつ、さらなる小型化を可能とする携帯型電子機器を提供することである。
【課題を解決するための手段】
【０００５】
請求項１に記載の発明は、略直方体に形成された筐体の前面に表示部を備える携帯型電子機器において、
指が触れたことを検知する検知センサにより形成され、前記筐体の上側面，下側面，左側面，右側面における前記表示部側に、それぞれ、上方向，下方向，左方向，右方向を指示する操作信号を入力するための上ボタン，下ボタン，左ボタン，右ボタンを備え、
前記表示部は、前記筐体の前面の略全領域に備えられることを特徴としている。
【０００６】
請求項２に記載の発明は、略直方体に形成された筐体の前面に表示部を備える携帯型電子機器において、
前記筐体の上側面に備えられ、上方向を指示する操作信号を入力するための上ボタンと、
前記筐体の下側面に備えられ、下方向を指示する操作信号を入力するための下ボタンと、
前記筐体の左側面に備えられ、左方向を指示する操作信号を入力するための左ボタンと、
前記筐体の右側面に備えられ、右方向を指示する操作信号を入力するための右ボタンと、
を備えることを特徴としている。
【０００７】
請求項３に記載の発明は、請求項２に記載の携帯型電子機器において、
前記上ボタン、前記下ボタン、前記左ボタン、及び、前記右ボタンは、指が触れたことを検知する検知センサにより形成されることを特徴としている。
【０００８】
請求項４に記載の発明は、請求項２又は３に記載の携帯型電子機器において、
前記表示部は、前記筐体の前面の略全領域に備えられることを特徴としている。
【０００９】
請求項５に記載の発明は、請求項２〜４の何れか一項に記載の携帯型電子機器において、
前記上ボタン、前記下ボタン、前記左ボタン、及び、前記右ボタンは、前記筐体の側面における前記表示部側に備えられていることを特徴としている。
【発明の効果】
【００１０】
請求項１に記載の発明によれば、筐体の上側面，下側面，左側面，右側面に、それぞれ、上方向，下方向，左方向，右方向を指示する操作信号を入力するための上ボタン，下ボタン，左ボタン，右ボタンが備えられるので、上下左右を指示することによる操作性を保つことができるとともに、上下左右を指示する上下左右ボタンを筐体の前面に備えないので、携帯型電子機器のさらなる小型化を可能とする。
【００１１】
また、上ボタン、下ボタン、左ボタン、及び、右ボタンは、指が触れたことを検知する検知センサにより形成されるので、上ボタン、下ボタン、左ボタン、及び、右ボタンが筐体表面から突出させなくて済み、携帯型電子機器のデザイン性を高くすることができる。
また、上ボタン、下ボタン、左ボタン、及び、右ボタンは、指が触れたことを検知する検知センサにより形成されるので、押下を必要とせず、可動部がなくなるので、耐久性も良くなる。
【００１２】
また、表示部が、筐体の前面の略全領域に備えられるので、携帯型電子機器が小型化されても、表示部をできるだけ大きくすることができ、表示部を見やすくすることができる。
【００１３】
また、上ボタン、下ボタン、左ボタン、及び、右ボタンは、筐体の側面における表示部側に備えられるので、筐体の背面側に備えられることの大きいバッテリー等が発する熱等による上ボタン、下ボタン、左ボタン、及び、右ボタンの誤動作を防止することができる。
【００１４】
請求項２に記載の発明によれば、筐体の上側面，下側面，左側面，右側面に、それぞれ、上方向，下方向，左方向，右方向を指示する操作信号を入力するための上ボタン，下ボタン，左ボタン，右ボタンが備えられるので、上下左右を指示することによる操作性を保つことができるとともに、上下左右を指示する上下左右ボタンを筐体の前面に備えないので、携帯型電子機器のさらなる小型化を可能とする。
【００１５】
請求項３に記載の発明によれば、請求項２に記載の発明と同様の効果が得られることは勿論のこと、特に、上ボタン、下ボタン、左ボタン、及び、右ボタンは、指が触れたことを検知する検知センサにより形成されるので、上ボタン、下ボタン、左ボタン、及び、右ボタンが筐体表面から突出させなくて済み、携帯型電子機器のデザイン性を高くすることができる。
また、上ボタン、下ボタン、左ボタン、及び、右ボタンは、指が触れたことを検知する検知センサにより形成されるので、押下を必要とせず、可動部がなくなるので、耐久性も良くなる。
【００１６】
請求項４に記載の発明によれば、請求項２又は３に記載の発明と同様の効果が得られることは勿論のこと、特に、表示部が、筐体の前面の略全領域に備えられるので、携帯型電子機器が小型化されても、表示部をできるだけ大きくすることができ、表示部を見やすくすることができる。
【００１７】
請求項５に記載の発明によれば、請求項２〜４の何れか一項に記載の発明と同様の効果が得られることは勿論のこと、特に、上ボタン、下ボタン、左ボタン、及び、右ボタンは、筐体の側面における表示部側に備えられるので、筐体の背面側に備えられることの大きいバッテリー等が発する熱等による上ボタン、下ボタン、左ボタン、及び、右ボタンの誤動作を防止することができる。
【発明を実施するための最良の形態】
【００１８】
以下、図を参照して、本発明に係る携帯型電子機器を実施するための最良の形態を詳細に説明する。
【００１９】
図１に、本発明に係る携帯型電子機器１の斜視図を示し、図２に、携帯型電子機器１の前面から見た平面図を示し、図３に、図１におけるIII−III矢視断面図を示す。
本発明に係る携帯型電子機器１の筐体２は、例えば、図１に示すように、略直方体に形成されている。
筐体２は、例えば、当該筐体２の前面側には、表示部３をを備えている。
また、携帯型電子機器１は、例えば、筐体２の上側面，下側面，左側面，右側面に、それぞれ、上方向，下方向，左方向，右方向を指示する操作信号を入力するための上ボタン４，下ボタン５，左ボタン６，右ボタン７を備えて構成されている。
また、携帯型電子機器１は、例えば、筐体２の右側面に、電源ボタン８，決定ボタン９等を備えて構成されている。
また、筐体２の背面側には、例えば、バッテリー（図示省略）等が備えられている。
【００２０】
表示部３は、例えば、図１に示すように、ＬＣＤ（Liquid  Crystal  Display）等を備えて構成され、筐体２の前面の略全領域に備えられている。また、表示部３は、タッチパネル等を備えて構成されてもよい。
【００２１】
上ボタン４，下ボタン５，左ボタン６，右ボタン７は、例えば、それぞれ、筐体２の上側面，下側面，左側面，右側面における表示部３側に備えられている。
また、上ボタン４，下ボタン５，左ボタン６，右ボタン７は、例えば、指が触れたことを検知する検知センサにより形成されている。そして、上ボタン４，下ボタン５，左ボタン６，右ボタン７は、例えば、図２，図３に示すように、上ボタン４，下ボタン５，左ボタン６，右ボタン７の表面が、筐体２の上側面，下側面，左側面，右側面の表面と略同一表面となるように備えられている。
具体的には、上ボタン４，下ボタン５，左ボタン６，右ボタン７は、例えば、図４に示すように、検知センサとしてのタッチボタン１０等を備えて構成されている。より具体的には、タッチボタン１０は、例えば、コンデンサ１０Ａ，電極１０Ｂ等を備えて構成され、指が触れることによるコンデンサ１０Ａの静電容量の変化を検出することにより、指が触れたことを検知する。
【００２２】
また、電源ボタン８及び決定ボタン９も、同様に、タッチボタン１０を備えて構成されてもよい。
そして、例えば、ユーザの指が上ボタン４，下ボタン５，左ボタン６，右ボタン７に触れることにより、表示部３に表示されたカーソル（図示省略）が上下左右に移動され、ユーザの指が決定ボタン９に触れることによりカーソルの位置が決定されることにより、携帯型電子機器１が操作されるようになっている。
【００２３】
以上に説明した本実施形態に係る携帯型電子機器１によれば、筐体２の上側面，下側面，左側面，右側面に、それぞれ、上方向，下方向，左方向，右方向を指示する操作信号を入力するための上ボタン４，下ボタン５，左ボタン６，右ボタン７が備えられるので、上下左右を指示することによる操作性を保つことができるとともに、上下左右を指示する上下左右ボタンを筐体２の前面に備えないので、携帯型電子機器１のさらなる小型化を可能とする。
【００２４】
また、上ボタン４、下ボタン５、左ボタン６、及び、右ボタン７は、指が触れたことを検知する検知センサにより形成されるので、上ボタン４、下ボタン５、左ボタン６、及び、右ボタン７が筐体２表面から突出させなくて済み、携帯型電子機器１のデザイン性を高くすることができる。
また、上ボタン４、下ボタン５、左ボタン６、及び、右ボタン７は、指が触れたことを検知する検知センサにより形成されるので、押下を必要とせず、可動部がなくなるので、耐久性も良くなる。
【００２５】
また、表示部３が、筐体２の前面の略全領域に備えられるので、携帯型電子機器１が小型化されても、表示部３をできるだけ大きくすることができ、表示部３を見やすくすることができる。
【００２６】
また、上ボタン４、下ボタン５、左ボタン６、及び、右ボタン７は、表示部３の背面側に備えられる筐体２の側面における表示部３側に備えられるので、筐体２の背面側に備えられることの大きいバッテリー等が発する熱等による上ボタン４、下ボタン５、左ボタン６、及び、右ボタン７の誤動作を防止することができる。
【００２７】
なお、携帯型電子機器１は、携帯できる電子機器であればなんであってもよく、具体的には、ＰＤＡ（Personal  Digital  Assistant），ポータブルＡＶ機器等である。
また、上ボタン４、下ボタン５、左ボタン６、及び、右ボタン７は、押しボタンにより形成されてもよい。
また、本実施形態では、検知センサとして、タッチボタン１０を例示したが、指の接触を検知するものであれば何であってもよい。また、タッチボタン１０としては、静電容量方式により指の接触を検知するものを例示したが、これに限定されるものではなく、例えば、超音波表面弾性波方式により指の接触を検知するものであってもよい。
【図面の簡単な説明】
【００２８】
【図１】本発明に係る携帯型電子機器の斜視図である。
【図２】本発明に係る携帯型電子機器の前面から見た平面図である。
【図３】本発明に係る携帯型電子機器の図１におけるIII−III矢視断面図である。
【図４】本発明に係るタッチボタンを説明する図である。
【符号の説明】
【００２９】
１  携帯型電子機器
２  筐体
３  表示部
４  上ボタン
５  下ボタン
６  左ボタン
７  右ボタン
１０  タッチボタン（検知センサ）
【図１】
2008198067.tif 000003
【図２】
2008198067.tif 000004
【図３】
2008198067.tif 000005
【図４】
2008198067.tif 000006